(57)【要約】【課題】  遊技機と遊技機以外の部位とを接続する線状部材の破損を防止することが可能な遊技機の提供を目的とする。【解決手段】  本発明のパチンコ遊技機１００によれば、保護カバー２００に形成されたフック２３０，２３０と押圧突部２２０とによって電源コード１１０がパチンコ遊技機１００側とパチンコ遊技機１００から離れる側とに交互に押圧されている。これにより、電源コード１１０が摩擦によって保護カバー２００に保持され、遊技島３００側への引っ張り力が電源コード１１０とパチンコ遊技機１００との接続部分（電源コード１１０の一端１１０Ａと受電基板７３とのコネクタ接続部）に伝わり難くなっている。これにより、電源コード１１０を遊技島３００に接続したままパチンコ遊技機１００を遊技島３００から移動させた場合でも、電源コード１１０とパチンコ遊技機１００との接続部分が破損することが防止できる。【選択図】  図１４
2006034686.tif 000002
【特許請求の範囲】
【請求項１】
遊技機の外面から延びた線状部材を遊技機以外の部位に接続して設置される遊技機において、
前記線状部材の途中部分を前記遊技機の外面に設けた線状部材係止部に沿わせ、
前記線状部材係止部には、前記線状部材を前記遊技機側に押圧する内向押圧部材と、前記線状部材を前記遊技機から離れる側に押圧する外向押圧部材とが、交互に並べられかつ合計３つ以上設けられたことを特徴とする遊技機。
【請求項２】
前記線状部材係止部には、前記内向押圧部材と前記外向押圧部材とが並べて配置された押圧部材配置面が設けられ、
前記押圧部材配置面から前記内向押圧部材における前記線状部材との当接部分までの高さは、前記押圧部材配置面から前記外向押圧部材における前記線状部材との当接部分までの高さよりも高くかつ、その高さの差は、前記線状部材の外径より小さいことを特徴とする請求項１に記載の遊技機。
【請求項３】
前記線状部材係止部には、前記内向押圧部材と前記外向押圧部材とが並べて配置された押圧部材配置面が設けられ、
前記押圧部材配置面から前記外向押圧部材における前記線状部材との当接部分までの高さは、前記押圧部材配置面から前記内向押圧部材における前記線状部材との当接部分までの高さと、同一又は大きいことを特徴とする請求項１に記載の遊技機。
【請求項４】
前記内向押圧部材は、前記押圧部材配置面から前記遊技機の外側に向かって起立しかつ途中で屈曲し、その屈曲部分よりも先端側部分が前記押圧部材配置面と平行もしくは前記押圧部材配置面に向かって傾斜すると共に、前記線状部材を前記内向押圧部材の先端部と前記押圧部材配置面との間から差し込むことで前記線状部材が前記遊技機側に押圧されるようにしたことを特徴とする請求項２又は３に記載の遊技機。
【請求項５】
前記内向押圧部材は、前記押圧部材配置面から前記遊技機の外側に向かって起立しかつ途中で直角に屈曲して前記押圧部材配置面に平行に延びたＬ字形状をなし、その屈曲部分よりも先端側の前記押圧部材配置面との対向面で前記線状部材を押さえつけるように形成されたことを特徴とする請求項２又は３に記載の遊技機。
【請求項６】
前記内向押圧部材の先端部には、前記押圧部材配置面に向けて突出した係止突部が形成されたことを特徴とする請求項４又は５に記載の遊技機。
【請求項７】
前記内向押圧部材は、先端部に向かうに従って、前記押圧部材配置面との間隔が大きくなるようにテーパ形状をなしたことを特徴とする請求項４乃至６の何れかに記載の遊技機。
【請求項８】
前記内向押圧部材は、前記外向押圧部材を挟んだ両側に対をなして設けられると共に、それら内向押圧部材の前記屈曲部分よりも先端側は、相反する方向を向いて平行になったことを特徴とする請求項４乃至７の何れかに記載の遊技機。
【請求項９】
前記内向押圧部材は、前記外向押圧部材を挟んだ両側に対をなして設けられると共に、それら内向押圧部材の前記屈曲部分よりも先端側は、同じ方向を向いて平行になったことを特徴とする請求項４乃至７の何れかに記載の遊技機。
【請求項１０】
前記外向押圧部材は、前記押圧部材配置面から突出した押圧突部であることを特徴とする請求項２乃至９の何れかに記載の遊技機。
【請求項１１】
前記押圧突部は、前記押圧部材配置面と平行な線状部材当接面を有した主部と、前記押圧部材配置面と前記線状部材当接面との間を繋ぎ、前記線状部材を前記線状部材当接面に案内するためのテーパ面を有したガイド部とからなることを特徴とする請求項１０に記載の遊技機。
【請求項１２】
前記線状部材係止部は、前記遊技機に着脱可能に装着されたことを特徴とする請求項１乃至１１の何れかに記載の遊技機。
【請求項１３】
前記内向押圧部材及び前記外向押圧部材は、前記線状部材を波形形状に変形させるように押圧する構成としたことを特徴とする請求項１乃至１２の何れかに記載の遊技機。
【発明の詳細な説明】
【技術分野】
【０００１】
本発明は、遊技機に関する。
【背景技術】
【０００２】
一般に遊技機１は、図２４の（Ａ）に示すように遊技店内に設けられた遊技機設置島２に設置されている。遊技機１の背面には電源コード３の一端が接続されており、電源コード３の他端が遊技機設置島２に設けられた電源に接続されることで遊技機１に電力が供給されている（例えば、特許文献１参照）。
【特許文献１】特開２００２−２７２９２２号公報（［００４０］、図２、図５）
【発明の開示】
【発明が解決しようとする課題】
【０００３】
しかしながら、上述した従来の遊技機では、例えば、遊技機の配置替え等で遊技機１を遊技機設置島２から撤去する場合に、電源コード３を遊技機設置島２に接続したまま遊技機１を移動させて電源コード３と遊技機１との接続部分を破損してしまう虞があった（図２４の（Ｂ）の状態）。
【０００４】
本発明は、上記事情に鑑みてなされたもので、遊技機と遊技機以外の部位とを接続する線状部材の破損を防止することが可能な遊技機の提供を目的とする。
【課題を解決するための手段】
【０００５】
上記目的を達成するため、請求項１に係る遊技機は、遊技機の外面から延びた線状部材を遊技機以外の部位に接続して設置される遊技機において、線状部材の途中部分を遊技機の外面に設けた線状部材係止部に沿わせ、線状部材係止部には、線状部材を遊技機側に押圧する内向押圧部材と、線状部材を遊技機から離れる側に押圧する外向押圧部材とが、交互に並べられかつ合計３つ以上設けられたところに特徴を有する。
【０００６】
請求項２の発明は、請求項１に記載の遊技機において、線状部材係止部には、内向押圧部材と外向押圧部材とが並べて配置された押圧部材配置面が設けられ、押圧部材配置面から内向押圧部材における線状部材との当接部分までの高さは、押圧部材配置面から外向押圧部材における線状部材との当接部分までの高さよりも高くかつ、その高さの差は、線状部材の外径より小さいところに特徴を有する。
【０００７】
請求項３の発明は、請求項１に記載の遊技機において、線状部材係止部には、内向押圧部材と外向押圧部材とが並べて配置された押圧部材配置面が設けられ、押圧部材配置面から外向押圧部材における線状部材との当接部分までの高さは、押圧部材配置面から内向押圧部材における線状部材との当接部分までの高さと、同一又は大きいところに特徴を有する。
【０００８】
請求項４の発明は、請求項２又は３に記載の遊技機において、内向押圧部材は、押圧部材配置面から遊技機の外側に向かって起立しかつ途中で屈曲し、その屈曲部分よりも先端側部分が押圧部材配置面と平行もしくは押圧部材配置面に向かって傾斜すると共に、線状部材を内向押圧部材の先端部と押圧部材配置面との間から差し込むことで線状部材が遊技機側に押圧されるようにしたところに特徴を有する。
【０００９】
請求項５の発明は、請求項２又は３に記載の遊技機において、内向押圧部材は、押圧部材配置面から遊技機の外側に向かって起立しかつ途中で直角に屈曲して押圧部材配置面に平行に延びたＬ字形状をなし、その屈曲部分よりも先端側の押圧部材配置面との対向面で線状部材を押さえつけるように形成されたところに特徴を有する。
【００１０】
請求項６の発明は、請求項４又は５に記載の遊技機において、内向押圧部材の先端部には、押圧部材配置面に向けて突出した係止突部が形成されたところに特徴を有する。
【００１１】
請求項７の発明は、請求項４乃至６の何れかに記載の遊技機において、内向押圧部材は、先端部に向かうに従って、押圧部材配置面との間隔が大きくなるようにテーパ形状をなしたところに特徴を有する。
【００１２】
請求項８の発明は、請求項４乃至７の何れかに記載の遊技機において、内向押圧部材は、外向押圧部材を挟んだ両側に対をなして設けられると共に、それら内向押圧部材の屈曲部分よりも先端側は、相反する方向を向いて平行になったところに特徴を有する。
【００１３】
請求項９の発明は、請求項４乃至７の何れかに記載の遊技機において、内向押圧部材は、外向押圧部材を挟んだ両側に対をなして設けられると共に、それら内向押圧部材の屈曲部分よりも先端側は、同じ方向を向いて平行になったところに特徴を有する。
【００１４】
請求項１０の発明は、請求項２乃至９の何れかに記載の遊技機において、外向押圧部材は、押圧部材配置面から突出した押圧突部であるところに特徴を有する。
【００１５】
請求項１１の発明は、請求項１０に記載の遊技機において、押圧突部は、押圧部材配置面と平行な線状部材当接面を有した主部と、押圧部材配置面と線状部材当接面との間を繋ぎ、線状部材を線状部材当接面に案内するためのテーパ面を有したガイド部とからなるところに特徴を有する。
【００１６】
請求項１２の発明は、請求項１乃至１１の何れかに記載の遊技機において、線状部材係止部は、遊技機に着脱可能に装着されたところに特徴を有する。
【００１７】
請求項１３の発明は、請求項１乃至１２の何れかに記載の遊技機において、内向押圧部材及び外向押圧部材は、線状部材を波形形状に変形させるように押圧する構成としたところに特徴を有する。
【発明の効果】
【００１８】
［請求項１の発明］
上記のように構成した請求項１に係る発明によれば、線状部材の少なくとも３カ所が、内向押圧部材と外向押圧部材とによって遊技機側と遊技機から離れる側とに交互に押圧されることで、線状部材の途中部分が摩擦によって保持されるので、線状部材が遊技機以外の部位側に引っ張られても、その引っ張り力は線状部材と遊技機との接続部分にかかり難くなる。従って、遊技機を設置位置から撤去する際に、線状部材を遊技機以外の部位から外すことを忘れ、線状部材が引っ張られても、線状部材と遊技機との接続部分が破損することが防止される。
【００１９】
［請求項２の発明］
請求項２の発明によれば、線状部材と内向押圧部材及び外向押圧部材との間の摩擦力をより強くすることができるので、線状部材が遊技機以外の部位側に引っ張られた場合に、線状部材と遊技機との接続部分が破損することがより確実に防止される。
【００２０】
［請求項３の発明］
請求項３の発明によれば、線状部材と内向押圧部材及び外向押圧部材との間の摩擦力をより強くすることができるので、線状部材が遊技機以外の部位側に引っ張られた場合に、線状部材と遊技機との接続部分が破損することがより確実に防止される。
【００２１】
［請求項４の発明］
請求項４の発明によれば、線状部材の途中部分を内向押圧部材の先端部と押圧部材配置面との間から差し込むことで線状部材を遊技機側に押圧させることができるので、内向押圧部材に対する線状部材の取り付けが比較的容易となる。
【００２２】
［請求項５の発明］
請求項５の発明によれば、内向押圧部材の先端側に形成された開放部分から、線状部材の途中部分を内向押圧部材と押圧部材配置面との間の空間に挿入することができるので、内向押圧部材に対する線状部材の取り付けが比較的容易となる。
【００２３】
［請求項６の発明］
請求項６の発明によれば、内向押圧部材の先端部には、押圧部材配置面に向けて突出した係止突部が形成されたので、内向押圧部材によって押圧されている線状部材を外れ難くすることができる。
【００２４】
［請求項７の発明］
請求項７の発明によれば、内向押圧部材は、先端部に向かうに従って押圧部材配置面との間隔が大きくなるようにテーパ形状をなしたので、内向押圧部材と押圧部材配置面との間の空間に線状部材を挿入し易くなる。
【００２５】
［請求項８の発明］
請求項８の発明によれば、対をなして設けられた内向押圧部材は、屈曲部分よりも先端側が相反する方向を向いているので、同一方向を向いている場合に比較して、これら内向押圧部材に押圧された線状部材を外れ難くすることができる。
【００２６】
［請求項９の発明］
請求項９の発明によれば、対をなして設けられた内向押圧部材は、屈曲部分よりも先端側が同じ方向を向いているので、相反する方向を向いている場合に比較して、これら内向押圧部材に対する線状部材の取り付けが容易となる。
【００２７】
［請求項１０の発明］
請求項１０の発明によれば、外向押圧部材を押圧部材配置面から突出した押圧突部とすることで、外向押圧部材の形成が比較的容易となる。
【００２８】
［請求項１１の発明］
請求項１１の発明によれば、押圧突部には、押圧部材配置面と線状部材当接面との間を繋ぎ、線状部材を線状部材当接面に案内するためのテーパ面が備えられたので、線状部材を容易に線状部材当接面上に配置することができる。
【００２９】
［請求項１２の発明］
請求項１２の発明によれば、線状部材係止部は、遊技機に着脱可能に装着されたので、線状部材係止部が破損した場合には、線状部材係止部のみを取り替えることができる。
【００３０】
［請求項１３の発明］
請求項１３の発明によれば、内向押圧部材及び外向押圧部材が線状部材を波形形状に変形させるように押圧することで、線状部材がより強く保持されるので、線状部材が遊技機以外の部位側に引っ張られた場合に、線状部材と遊技機との接続部分が破損することをより確実に防止できる。
【発明を実施するための最良の形態】
【００３１】
以下、本発明を適用したパチンコ遊技機に係る一実施形態を、図１〜図１８に基づいて説明する。図１に示すように、本実施形態のパチンコ遊技機１００は、一般のものと同様に、遊技場の遊技島３００に設置されている。そして、パチンコ遊技機１００は、遊技島３００に取り付けられる枠体８０（図６参照）と、枠体８０から脱着可能な遊技機本体８１（図４参照）とに区分することができる。まずは、遊技機本体８１について説明すると以下の通りである。
【００３２】
遊技機本体８１は、図６に示した遊技盤１１に種々の部品を組み付けてなる遊技盤側アッシと、同図に示した機構板７５に種々の部品を組み付けてなる機構板側アッシの２つのアッシよりなる。遊技盤側アッシを構成する各部品に関して図７を参照しつつ説明すると、遊技盤１１は、木製の概矩形板材で構成されている。遊技盤１１の前面には、ガイドレール１２が取り付けられ、ガイドレール１２の内側が、遊技領域Ｒ１となっている。遊技領域Ｒ１のほぼ中央部には、表示装置１３が設けられ、表示装置１３の下方には、始動入賞口１４、大入賞口１５及びアウト口１６が、上から順に間隔を開けて並べて設けられている。また、遊技領域Ｒ１のうち表示装置１３、及び始動入賞口１４等を挟んだ左右の両側には、上から順に、ランプ風車１７、始動ゲート１８及び風車１９、一般入賞口２０，２１が設けられ、ガイドレール１２に沿った両側部には、サイドランプ２２，２２が設けられている。さらに、これら入賞口等以外に、遊技領域Ｒ１には、図示しない複数の釘が起立している。
【００３３】
各部位の詳細は、以下のようである。
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示部３４Ｂの図柄が変動表示される。
【００３４】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り易い状態になる。
【００３５】
始動入賞口１４に遊技球が入賞すると、始動入賞口１４内に設けた始動口センサ３１（図８を参照）が遊技球を検出し、その検出信号に基づいて、例えば、４個の遊技球が上皿２７Ａに払い出されると共に、表示装置１３が後述するように図柄を変動表示する。なお、表示装置１３が図柄を変動表示している間に、始動入賞口１４に入賞した入賞球は、４個まで保留記憶される。
【００３６】
大入賞口１５は、横長に形成されて、常には、可動扉１５Ｔにて閉塞されている。そして、遊技の当否判定結果が「当たり」となり、パチンコ遊技機が「大当たり状態」になると、遊技盤１１の裏に設けたソレノイド１５Ｓ（図８参照）が駆動され、可動扉１５Ｔが所定期間に亘って前側に倒れる。これにより、大入賞口１５が開放され、可動扉１５Ｔを案内にして、大入賞口１５に多くの遊技球が入賞可能な大当たり遊技が実行される。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。そして、大当たり遊技は、最大で、例えば１５ラウンドまで継続して行われる。
【００３７】
大入賞口１５の内部には、継続入賞口と計数入賞口とが設けられている。より詳細には、可動扉１５Ｔが開いたときには、継続入賞口は開放しており、継続入賞口に入賞後、ソレノイド１５Ｓが駆動されて、継続入賞口が閉鎖される一方、計数入賞口は開放されたままとなる。そして、継続入賞口内に設けた特定領域センサ３２（図８参照）が遊技球の入賞を検出すると、前述した終了条件を満たしてラウンドが終了した後で、連続して次のラウンドが実行される。また、計数入賞口内に設けたカウントセンサ３３（図８参照）が遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、例えば、１５個の遊技球が上皿２７Ａに払い出される。
【００３８】
前記表示装置１３は、例えば、液晶表示装置であって、遊技盤１１に貫通形成された開口部１１Ｋ（図６を参照）に対し、遊技盤１１の前面側から取り付けた装飾枠２３と、遊技盤１１の後面側から取り付けた液晶モジュールとで構成されている。そして、遊技盤１１の前面側から、装飾枠２３を介して、液晶モジュールに備えた表示部３４を見ることができる。
【００３９】
表示部３４には、特別図柄表示部３４Ａと普通図柄表示部３４Ｂとが設けられている。特別図柄表示部３４Ａでは通常、３つの左、中、右の特別図柄１３Ａ，１３Ｂ，１３Ｃが、横並びに表示されている（図７を参照）。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、特別図柄表示部３４Ａに確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００４０】
表示部３４のうち、特別図柄表示部３４Ａの左下隅には、普通図柄表示部３４Ｂが設けられている。この普通図柄表示部３４Ｂは、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示部３４Ｂで表示する普通図柄は、数字に限るものではなく、アルファベットや記号等でもよい。
【００４１】
なお、図６には示されていないが、遊技盤１１の後面には、表示制御回路５７が備えられ、表示制御回路５７より下側には、ランプ制御回路５５と音声制御回路５９とが横並びにして取り付けられている。また、ランプ制御回路５５、音声制御回路５９及び表示制御回路５７の後側に重ねてメイン制御回路５０が取り付けられている。
【００４２】
以上が、遊技盤側アッシを構成する各部品の説明である。次いで、機構板側アッシについて説明すると、機構板７５は、合成樹脂で構成され、図６に示すように、全体として遊技盤１１より縦方向に長い矩形状をなす。機構板７５には、図示しない矩形窓が形成され、機構板７５が、遊技盤１１の後面に重ねられると、遊技盤１１に固定された前記各制御回路５０，５５〜５７が、矩形窓内に配置される。また、矩形窓の縁部には、前記各制御回路５０，５５〜５７を収容する筐体状のカバー７６が着脱可能に取り付けられている。
【００４３】
機構板７５のうちカバー７６より下方には、図５に示すように、払出制御回路５８と電源基板７０とが横並びにして取り付けられている。なお、これら各制御回路５８，７０は、個々に透明な樹脂ケースに収容されている。
【００４４】
機構板７５のうちカバー７６より上側には、図５に示すように、遊技球タンク７５Ｔが設けられると共に、機構板７５のうちカバー７６の側方部分には、払出装置７２が設けられている。そして、遊技球タンク７５Ｔと払出装置７２との間が、遊技球誘導レール７５Ｒにより連絡されている。
【００４５】
機構板７５のうち、遊技球タンク７５Ｔの側方には、パチンコ遊技機１００の外部から電力を受ける受電基板７３が備えられている。受電基板７３は、サージ吸収素子等を備え、全体が樹脂製カバーによって覆われている。受電基板７３には、電源コード１１０（本発明の「線状部材」に相当する）の一端１１０Ａがコネクタ接続されている。また、電源コード１１０の他端に備えたプラグ１１０Ｐは、遊技島３００に備えられたソケット３０１に接続される。受電基板７３と電源コード１１０との接続部分からはアース線１１１が延びており（図４，５を参照）、このアース線１１１の端部がパチンコ遊技機１００以外の部位（例えば、遊技島３００）に接続されている。なお、電源コード１１０は、所謂、平行２線式であって、断面が扁平形状をなしている
【００４６】
機構板７５のうち、受電基板７３と払出装置７２との中間位置には、後述する払出用中継回路基板７４（図８を参照）が配設されている。払出用中継回路基板７４には、払出制御回路５８や払出装置７２と接続される複数のハーネスがコネクタ接続されている。そして、この払出用中継回路基板７４を後側から覆うようにして合成樹脂製の透明な保護カバー２００が取り付けられている。この保護カバー２００によって、払出用中継回路基板７４のコネクタ接続部が外部からの衝撃から保護されている。
【００４７】
機構板７５のうち払出装置７２が配された側の側部には、図６に示すように、上下方向に１対のヒンジピン７１，７１が取り付けられ、これらヒンジピン７１，７１が、枠体８０に備えた後述の前面枠９０の一側部に係合し、機構板７５が前面枠９０に対して回動可能に組み付けられる。
【００４８】
以上、遊技機本体８１に関する説明であり、次に枠体８０の構成について説明する。枠体８０は、例えば、ボルトによって遊技島３００に固定された外枠８２に前面枠９０を回動可能に備えてなる（図６を参照）。外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００４９】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、１対の被係止部８６，８６が取り付けられている。さらに、外枠８２のうちヒンジ片８５を備えた側の外側面には、図５に示すように、プリペイドカードユニット１５０が取り付けられる。なお、プリペイドカードユニット１５０は、前記電源コード１１０とは別の専用の電源ケーブル１５１を備え、この専用電源ケーブル１５１は遊技島３００に備えられた、例えば、ＡＣ１００Ｖ電源に接続される。また、プリペイドカードユニット１５０に備えたコネクタ部１５３と機構板７５の後面に備えたコネクタ部７５Ｃ（図４を参照）とが、ハーネス１５２（図５を参照）によって接続され、プリペイドカードユニット１５０とパチンコ遊技機１００との間で信号が送受信されるようになっている。
【００５０】
前面枠９０は、例えば、合成樹脂で構成され、図６に示すように、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉する。
【００５１】
図６に示すように、前面枠９０には、遊技窓９０Ｗが形成されており、前面枠９０の前面には、ガラス枠９５（図２，３を参照）が遊技窓９０Ｗに重ねて設けられている。ガラス枠９５は、前面枠９０のうちヒンジ片９１側の側縁部に回動可能に取り付けられており、遊技窓９０Ｗより一回り小さな略円形の窓９５Ｗを備えて、そこにガラス板が張られている。図３に示すように、ガラス枠９５の前面のうち窓９５Ｗの縁部には、前方に膨出した装飾ランプ９６が備えられている。また、前面枠９０のうち窓９５Ｗよりも上側には、左右に１対のスピーカ５９Ｓ，５９Ｓが設けられている。
【００５２】
図１に示すように、前面枠９０のうちガラス枠９５の下方には、上皿２７Ａが取り付けられ、前面枠９０のうち上皿２７Ａの下方に、下皿２７Ｂが取り付けられている。そして、遊技を行った場合の賞球としての遊技球が、上皿２７Ａに払い出され、上皿２７Ａに設けたを図示しないボタンを押すと、上皿２７Ａから下皿２７Ｂに遊技球が移動する。
【００５３】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、遊技機本体８１に備えられた前記制御回路５９，５６，５５にコネクタ接続されている。そして、操作ノブ２８を操作することで、上皿２７Ａに収容された遊技球が遊技盤１１上に向けて弾き出され、遊技の進行状況に応じて、装飾ランプ９６及びスピーカ５９Ｓが駆動される。
【００５４】
前面枠９０の後面のうちヒンジ片９１と反対側の側縁部には、１対の係止爪１０３，１０３が上下に備えられ、この係止爪１０３，１０３を外枠８２の被係止部８６，８６に係止して、前面枠９０が閉止状態に施錠される。
【００５５】
図６に示すように、前面枠９０の後面には、遊技窓９０Ｗを囲むように囲壁９３が起立している。そして、この囲壁９３の内部に前記遊技盤１１が嵌合され、囲壁９３に備えた複数の係止レバー１１４にて遊技盤１１が前面枠９０に係脱可能に固定される。
【００５６】
さらに前面枠９０の後面のうち、ヒンジ片９１と反対側の側縁部の下端位置には、発射装置３７が取り付けられており、前記操作ノブ２８の操作によってこの発射装置３７が駆動し、遊技球が遊技領域Ｒ１に発射される。
【００５７】
以上が、枠体８０の構成についての説明である。
次に、図８を参照しつつ本実施形態のパチンコ遊技機１００の電気的な構成について説明する。メイン制御回路５０は、ＣＰＵ５１ＡとＲＡＭ５１Ｂ及びＲＯＭ５１Ｃを合わせてパッケージしてなるワンチップマイコン５１を主要部として備えている。
【００５８】
ワンチップマイコン５１は、入出力回路５４，５４を介して、前述した入賞球を検出するためのセンサ３１〜３３等から信号を受けると共に、ランプ制御回路５５、発射制御回路５６、表示制御回路５７、払出制御回路５８、音声制御回路５９等に制御信号を出力して各部位を制御する。
【００５９】
ランプ制御回路５５は、メイン制御回路５０からの制御信号に基づいて発光パターンの選択、発光データの設定を行い、サイドランプ２２，２２やその他装飾ランプ、ＬＥＤ等を発光させる。
【００６０】
音声制御回路５９は、メイン制御回路５０からの制御信号に基づいてＢＧＭや演出時の音声データを設定し、スピーカ５９Ｓより音声を発生させる。
【００６１】
表示制御回路５７は、表示部３４に遊技画像を表示するための制御データや画像データ等を記憶する表示用ＲＯＭ６３を備える。そして、メイン制御回路５０からの制御信号に基づき、表示用ＣＰＵ６１が、表示用ＲＯＭ６３から所定のデータを取り出し、表示用ＲＡＭ６２の作業領域にて遊技画像（特別図柄、演出図柄、背景画像、キャラクター画像、文字画像等）を作成し、表示装置１３の各表示部３４Ａ，３４Ｂに表示させる。
【００６２】
払出制御回路５８は、各入賞口１４，１５，２０，２１への遊技球の入賞に基づいたワンチップマイコン５１からの信号や、後述するプリペイドカードユニット１５０からの信号に基づいて、払出装置７２を駆動して遊技球を上皿２７Ａに払い出す。ここで、払出制御回路５８と払出装置７２は払出用中継回路７４を介して接続されている。払出用中継回路基板７４は、払出制御回路５８と払出装置７２（詳細には、払出モータや払出センサ）との間におけるデータや制御信号の送受信を中継している。
【００６３】
発射制御回路５６は、ワンチップマイコン５１から受けた信号に基づき、発射装置３７を駆動して、遊技球を遊技領域Ｒ１に向けて発射する。
【００６４】
上記した各制御回路５０，５５〜５９は、電源基板７０から受電して作動する。詳細には、パチンコホールでは、ＡＣ２４Ｖ設備電源７７が備えられている。そして、各パチンコ遊技機１００の電源コード１１０（図４，５を参照）が、そのＡＣ２４Ｖ設備電源７７に接続されている。ＡＣ２４Ｖ設備電源７７からの電力は、パチンコ遊技機１００に備えた受電基板７３を介して電源基板７０に給電され、電源基板７０はその電力を所定の電圧に変圧して各部位に配電する。以上が、パチンコ遊技機１００の電気的な構成についての説明である。
【００６５】
ところで、本実施形態のパチンコ遊技機１００では、電源コード１１０の途中部分が払出用中継回路基板７４を覆った保護カバー２００によって保持されている。なお、保護カバー２００は、本発明の「線状部材係止部」に相当する。
【００６６】
保護カバー２００は、図１０に示すように矩形筺体状をなし、前方に開放している。図１１に示すように、保護カバー２００の上壁２００Ａ、下壁２００Ｂ及び一方の側壁２００Ｃには、それぞれ保護カバー２００の内外を連通した矩形孔２０１が形成されている。そして、払出用中継回路基板７４にコネクタ接続されたハーネス（図示せず）が、これら３つの矩形孔２０１から保護カバー２００の外側に引き出されている。
【００６７】
保護カバー２００の上壁２００Ａには、矩形孔２０１から外側に引き出されたハーネスを覆うハーネスカバー２１０が一体形成されている。図１１に示すように、ハーネスカバー２１０は、保護カバー２００の上壁２００Ａに形成された矩形孔２０１の周縁部から起立している。ハーネスカバー２１０は、保護カバー２００と同様に前方に開放しており、後壁面２１０Ａは、上方に向かうに従って前方に向かって傾斜している（図１２を参照）。また、ハーネスカバー２１０の上端部は前方に向かって突出しており、この突出部分２１１の下縁部には、側方に張り出した鍔部２１２，２１２が形成されている。
【００６８】
保護カバー２００の後壁２０２の上寄り位置と下寄り位置には、円形孔２０３，２０３が貫通形成されている。図１２に示すように、保護カバー２００の後壁２０２の内面には、この円形孔２０３の周縁部から保護カバー２００の開口部に向かって起立した円筒形状の支持ボス２０４が形成されている。そして、保護カバー２００の後側から円形孔２０３及び支持ボス２０４に挿通された螺子２５０，２５０によって、保護カバー２００がパチンコ遊技機１００の後面に装着される。
【００６９】
即ち、保護カバー２００の前方から挿入された払出用中継回路基板７４に支持ボス２０４の先端部を突き当てた状態で、保護カバー２００の後側から螺子２５０，２５０が挿入され、この螺子２５０が保護カバー２００と払出用中継回路７４とを貫通して機構板７５の後面に螺合されている。つまり、保護カバー２００が、パチンコ遊技機１００に対して着脱可能となっているので、保護カバー２００が破損した場合には、螺子２５０を外すことで保護カバー２００のみを交換することができる。
【００７０】
さて、図１０に示すように、保護カバー２００の後壁２０２のほぼ中央部分には、本発明の「外向押圧部材」に相当する押圧突部２２０が形成され、この押圧突部２２０を上下で挟んだ位置に、本発明の「内向押圧部材」に相当する１対のフック２３０，２３０が形成されている。即ち、合計で３つの押圧突部２２０及びフック２３０が、上からフック２３０、押圧突部２２０、フック２３０の順番に並べて設けられている。
【００７１】
詳細には、保護カバー２００の後壁２０２の上辺２００Ａ寄り位置と下辺２００Ｂ寄り位置の２カ所には、横長の開口部２０５，２０５が貫通形成されている。この開口部２０５の一側縁からは、開口部２０５の内側に向かって突片２０７が張り出しており、この突片２０７の先端からフック２３０が延設されている。
【００７２】
フック２３０，２３０は、図１０に示すように、保護カバー２００の後壁外面２０２Ａ（本発明の「押圧部材配置面」に相当する）から垂直に起立し途中で直角に屈曲したＬ字形の帯板形状をなす。より詳細には、フック２３０は、保護カバー２００の後壁外面２０２Ａに対して垂直に起立した脚部２３１と、この脚部２３１の先端部から側方に向かって延びかつ後壁外面２０２Ａに平行な押圧部２３２とからなる。そして、フック２３０の内側領域に、電源コード１１０が挿通される挿通空間２０６が形成されている。この挿通空間２０６は、上下方向に開放すると共に、押圧部２３２（フック２３０）の先端側に向かって開放している。
【００７３】
押圧部２３２の先端部には、保護カバー２００の後壁外面２０２Ａ側に突出した係止突部２３３が形成されている。係止突部２３３は、全体として矢尻形状をなしている。詳細には、係止突部２３３は、押圧部２３２の内側面２３２Ａに対して直角に起立して前記脚部２３１側を向いた係止面２３３Ａと、この係止面２３３Ａに連絡しかつ押圧部２３２の先端に向かうに従って、保護カバー２００の後壁外面２０２Ａから離れるように傾斜したテーパ面２３３Ｂとを備える。
【００７４】
そして、フック２３０内側の挿通空間２０６に挿通された電源コード１１０は、図１４に示すように、押圧部２３２の内側面２３２Ａのうち係止突部２３３よりも基端側の部分で保護カバー２００の後壁外面２０２Ａ側に押圧されている。ここで、押圧部２３２の内側面２３２Ａは、本発明の「押圧部材配置面との対向面」に相当する。
【００７５】
また、係止突部２３３に形成された係止面２３３Ａによって、挿通空間２０６に挿通された電源コード１１０の押圧部２３２の先端側への移動が規制され、押圧部２３２の先端側の開放部分から電源コード１１０が離脱し難くなっている。
【００７６】
ここで、図１４に示すように、１対のフック２３０，２３０は、それぞれの押圧部２３２が互いに相反する方向を向いている。即ち、保護カバー２００の上寄り位置に設けられたフック２３０では、押圧部２３２の先端部が図１４における右側を向いており、下寄り位置に設けられたフック２３０では押圧部２３２の先端部が図１４における左側を向くように形成されている。従って、上側のフック２３０の内側に形成された挿通空間２０６は、図１４における右側方に向かって開放しており、下側のフック２３０の内側に形成された挿通空間２０６は、図１４における左側方に向かって開放している。
【００７７】
このように、１対のフック２３０，２３０の押圧部２３２，２３２の先端部が互いに相反する方向を向いているので、押圧部２３２，２３２の先端部が同一方向を向いた場合に比較して、フック２３０の挿通空間２０６に挿通された電源コード１１０が、挿通空間２０６から離脱し難くなっている。
【００７８】
保護カバー２００のうち、１対のフック２３０，２３０のほぼ中間位置には、押圧突部２２０が形成されている。押圧突部２２０は、保護カバー２００の後壁外面２０２Ａから外側に突出しており、横長の直方体形状をなしている。また、押圧突部２２０の後端面２２０Ａ（本発明の「線状部材当接面」に相当する）は、保護カバー２００の後壁外面２０２Ａに平行な平坦面をなしている。そして、この押圧突部２２０の後側に電源コード１１０が通される（図１５を参照）。つまり押圧突部２２０の後端面２２０Ａに電源コード１１０が当接して、保護カバー２００の後壁外面２０２Ａから離れる側に押圧される。
【００７９】
これにより、電源コード１１０は、保護カバー２００の上寄り部分で保護カバー２００の後壁外面２０２Ａ側に押圧され、その下側部分で保護カバー２００の後壁外面２０２Ａから離れる側に押圧され、さらにその下側部分では、保護カバー２００の後壁外面２０２Ａ側に押圧される。つまり、交互に相反する方向に押圧されている。
【００８０】
ここで、図１３に示すように、保護カバー２００の後壁外面２０２Ａからフック２３０の電源コード１１０との当接面（押圧部２３２の内側面２３２Ａ）までの高さＨ１は、保護カバー２００の後壁外面２０２Ａから押圧突部２２０の電源コード１１０との当接面（押圧突部２２０の後端面２２０Ａ）までの高さＨ２よりも若干高くなっており、その高さの差（＝Ｈ１−Ｈ２）は、扁平な電源コード１１０の厚さ方向の外径よりも小さくなっている。これにより、保護カバー２００に保持された電源コード１１０は、押圧突部２２０によって押圧された部分が、フック２３０，２３０によって押圧された部分よりも外側に盛り上がるように湾曲する（図１６を参照）。なお、押圧突部２２０とフック２３０，２３０との配置間隔は特に限定するものではないが、本実施形態のように、押圧突部２２０とフック２３０，２３０とに押圧された電源コード１１０が少なくとも山形又は波形に湾曲した形状に保たれるような間隔であることが好ましい。
【００８１】
また、押圧突部２２０の横幅は、フック２３０の押圧部２３２のうち、係止突部２３３の係止面２３３Ａよりも基端側の部分の横幅と略同一となっている（図１１を参照）。これにより、電源コード１１０がフック２３０の挿通空間２０６に挿通された状態で横方向（図１１における左右方向）に移動しても、電源コード１１０と押圧突部２２０の後端面２２０Ａとの当接状態が維持されるようになっている。つまり、電源コード１１０が、１対のフック２３０，２３０と押圧突部２２０とで押圧された状態に維持されるようになっている。
【００８２】
以上がパチンコ遊技機１００の構成の説明であり、以下に本実施形態の作用・効果を説明する。図１７（Ａ）に示すように電源コード１１０は、受電基板７３からパチンコ遊技機１００の後面に沿って下方に下ろされ、途中部分が保護カバー２００の後壁２０２に係止されている。そして、保護カバー２００によって係止された部分よりも下側で上方に向かって折り曲げられ、保護カバー２００よりも上方位置で、遊技島３００に備えられたソケット３０１に接続されている。
【００８３】
電源コード１１０は、以下のようにして保護カバー２００の後壁２０２に係止される。即ち、まず、電源コード１１０の途中部分を保護カバー２００に形成された上側のフック２３０の先端側（図１４における右側）から近づけて、押圧部２３２の先端側の開口から挿通空間２０６に挿入する。次いで、電源コード１１０のうち、挿通空間２０６に挿通させた部分よりも下側部分を押圧突部２２０の後端面２２０Ａに当接させる。さらに、電源コード１１０の押圧突部２２０との当接部分よりもさらに下側部分を下側のフック２３０の先端側（図１４における左側）から近づけ、押圧部２３２の先端側の開口から挿通空間２０６に挿入する。これにより、電源コード１１０の途中部分の上下２カ所がフック２３０の押圧部２３２によって保護カバー２００の後壁外面２０２Ａ、即ち、パチンコ遊技機１００側に押圧され、フック２３０，２３０によって押圧された２カ所の中間部分が押圧突部２２０によって保護カバー２００の後壁外面２０２Ａから離れる側、即ち、パチンコ遊技機１００から離れる側に押圧される。このとき、電源コード１１０は図１６に示すように山形に湾曲する。
【００８４】
なお、フック２３０の先端部分（詳細には、係止突部２３３）は、保護カバー２００の後壁外面２０２Ａから離れるように傾斜したテーパ面２３３Ｂとなっているので、電源コード１１０をフック２３０の内側の挿通空間２０６に挿入し易くなっている。
【００８５】
電源コード１１０を保護カバー２００の後壁２０２（フック２３０，２３０及び押圧突部２２０）に係止させたら、電源コード１１０の先端部に備えたプラグ１１０Ｐを遊技島３００に備えられたＡＣ２４Ｖ用ソケット３０１に差し込む（図１７の（Ａ）の状態）。これにより、パチンコ遊技機１００に電力が供給され、遊技を行うことが可能となる。
【００８６】
ところで、パチンコホールでは、パチンコ遊技機の台替えや、配置替え等によって、パチンコ遊技機１００を遊技島３００から撤去することがある。パチンコ遊技機１００を遊技島３００から撤去する際には、通常は、パチンコ遊技機１００に接続された電源コード１１０を、予め遊技島３００のソケット３０１から抜いておき、その後、パチンコ遊技機１００を前方へ移動させる。しかしながら、電源コード１１０を前記ソケット３０１から抜き忘れたまま、パチンコ遊技機１００を前方へ移動させてしまうことがある。この場合、パチンコ遊技機１００に接続された電源コード１１０は、遊技島３００側に引っ張られることになる（図１７の（Ｂ）の状態）。
【００８７】
しかしながら、本実施形態のパチンコ遊技機１００によれば、保護カバー２００に形成されたフック２３０，２３０と押圧突部２２０とによって電源コード１１０がパチンコ遊技機１００側とパチンコ遊技機１００から離れる側とに交互に押圧されている。これにより、電源コード１１０が摩擦によって保護カバー２００に保持され、遊技島３００側への引っ張り力が電源コード１１０とパチンコ遊技機１００との接続部分（電源コード１１０の一端１１０Ａと受電基板７３とのコネクタ接続部）に伝わり難くなっている。従って、電源コード１１０を遊技島３００に接続したままパチンコ遊技機１００を遊技島３００から移動させた場合でも、電源コード１１０とパチンコ遊技機１００との接続部分が破損することが防止できる。
【００８８】
なお、保護カバー２００は、遊技島３００に備えられたソケット３０１よりも下側に配置することが望ましい。即ち、図１７及び図１８に示すように、電源コード１１０を遊技島３００に接続したままパチンコ遊技機１００を前方に移動させた際に、電源コード１１０の保護カバー２００で保持された部分よりも先端側（プラグ１１０Ｐ側）の部分が、上方に向かって引っ張られるようにすれば、より確実に電源コード１１０とパチンコ遊技機１００との接続部分の破損を防止できる。
【００８９】
また、本実施形態のように、押圧突部２２０は、電源コード１１０を遊技島３００に接続したままパチンコ遊技機１００を前方に移動させた際に、電源コード１１０が引っ張られる方向（図１７，１８では、パチンコ遊技機１００の後方）に向かって突出していることが望ましい。さらに、本実施形態のように、１対のフック２３０，２３０の間に１つの押圧突部２２０を配置した構成であれば、電源コード１１０の外部からの引っ張りに対してより強い構成となる。
【００９０】
また、電源コード１１０の外皮、フック２３０及び押圧突部２２０を摩擦係数の比較的大きい合成樹脂やゴムで構成すれば、電源コード１１０をより強く保護カバー２００に保持させることができ、さらに効果的である。
【００９１】
［第２実施形態］
図１９は本発明の第２実施形態を示す。
この第２実施形態は、フックの構成を上記第１実施形態とは異なる構成としたものである。その他の構成については上記第１実施形態と同じであるため、同じ構成については、同一符号を付し、重複する説明は省略する。
【００９２】
フック２３０のうち、脚部２３１の後壁外面２０２Ａからの起立部分には後壁外面２０２Ａと脚部２３１の外側面とを繋ぐように薄板状のリブ２３５が形成されている。このリブ２３５によってフック２３０の脚部２３１における剛性が高まるので、電源コード１１０が遊技島３００側に引っ張られた場合にフック２３０の脚部２３１が外側（後壁外面２０２Ａから離れる側）に曲がり難くなる。従って、より確実に電源コード１１０が保護カバー２００に保持されると共に、フック２３０，２３０の破損を防止することもできる。
【００９３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１実施形態パチンコ遊技機に本発明を適用していたが、遊技機であれば、コイン遊技機やスロットマシン等に備えてもよい。
【００９４】
（２）上記第１及び第２実施形態では、１対のフック２３０，２３０に備えられた押圧部２３２，２３２の先端が互いに相反する方向を向いていたが、図２０に示すように、同一方向を向いていてもよい。このようにすれば、２つのフック２３０，２３０に電源コード１１０を保持させる際には、左右の何れかの同一方向側から電源コード１１０を挿入すればよく、押圧部２３２，２３２の先端が互いに相反する方向を向いた場合に比較して、フック２３０の挿通空間２０６に電源コード１１０を挿入し易くなる。
【００９５】
（３）上記第１及び第２実施形態では、押圧突部２２０が、直方体形状をなしていたが、左右方向の何れかの側面をテーパ面２２０Ｂとしてもよい。即ち、図２１に示すように、押圧突部２２０の後端面２２０Ａと保護カバー２００の後壁外面２０２Ａとを繋ぎ、後壁外面２０２Ａに向かうに従って下るようにしてもよい。このようにすれば、電源コード１１０を押圧突部２２０のテーパ面２２０Ｂが形成された側から近づけ、テーパ面２２０Ｂに接触させながら横方向に移動させることで、電源コード１１０が押圧突部２２０の後端面２２０Ａに案内され、電源コード１１０を容易に押圧突部２２０の後端面２２０Ａに当接させることができる。なお、押圧突部２２０のうち、後端面２２０Ａを備えた部分が本発明の「主部」に相当し、テーパ面２２０Ｂを備えた部分が本発明の「ガイド部」に相当する。
【００９６】
（４）上記第１及び第２実施形態では、１対のフック２３０，２３０の間に１つの押圧突部２２０を備えた構成であったが、フック２３０と押圧突部２２０とが交互に配置されていれば、この構成に限るものではない。例えば、フック２３０と押圧突部２２０とを交互に３つずつ配置してもよいし、３つのフック２３０と、２つの押圧突部２２０を交互に配置してもよい。このようにすれば、フック２３０及び押圧突部２２０によって押圧された電源コード１１０を波形状に湾曲させることができ、より強固に電源コード１１０を保持することができる。
【００９７】
（５）上記第１及び第２実施形態では、フック２３０に備えられた係止突部２３３の係止面２３３Ａが、押圧部２３２の内側面２３２Ａに対して直角に起立していたが、図２２に示すように、押圧部２３２の内側面２３２Ａ側に倒れるように傾斜していてもよい。
【００９８】
（６）上記第１及び第２実施形態では、フック２３０の押圧部２３２が、保護カバー２００の後壁外面２０２Ａと平行となっていたが、図２３に示すように、先端部に向かうに従って後壁外面２０２Ａ側に近づくように傾斜させてもよい。このようにすれば、フック２３０の挿通空間２０６に挿通された電源コード１１０が離脱し難くなる。
【００９９】
（７）上記第１及び第２実施形態では、保護カバー２００によってパチンコ遊技機１００に備えた各種制御回路や装置に電力を供給するための電源コード１１０（電線）を保持させていたが、パチンコ遊技機１００とパチンコ遊技機１００以外の部位とを接続する線状部材であれば、これに限るものではない。例えば、パチンコ遊技機１００とプリペイドカードユニット１５０とを接続するハーネス１５２や、受電基板７３と遊技島３００とを接続するアース線１１１を保護カバー２００によって保持してもよい。
【０１００】
（８）上記第１及び第２実施形態では、払出用中継回路基板７４を覆った保護カバー２００に、フック２３０及び押圧突部２２０を形成していたが、パチンコ遊技機１００の他の部位に形成してもよい。
【０１０１】
（９）上記第１及び第２実勢形態では、電源コード１１０は、所謂、平行２線式で断面が扁平形状であったが、断面が略円形状であっても同等の効果を奏することができる。
【０１０２】
（１０）上記第１及び第２実施形態では、パチンコ遊技機１００の全体が遊技島３００から取り外されていたが、パチンコ遊技機１００のうち、外枠８２を遊技島３００に固定したままで、外枠８２以外の部位（遊技機本体８１、前面枠９０、ガラス枠９５）を取り外した場合でも、上記第１及び第２実施形態と同等の効果を奏する。
【図面の簡単な説明】
【０１０３】
【図１】本発明の一実施形態に係るパチンコ遊技機を遊技島に設置した状態の側面図
【図２】パチンコ遊技機の正面図
【図３】パチンコ遊技機の正面側の斜視図
【図４】パチンコ遊技機の背面図
【図５】パチンコ遊技機の背面側の斜視図
【図６】パチンコ遊技機の分解斜視図
【図７】遊技盤の正面図
【図８】電気的構成を示したブロック図
【図９】パチンコ遊技機の背面側の部分斜視図
【図１０】保護カバーの斜視図
【図１１】保護カバーの正面図
【図１２】保護カバーの側面図
【図１３】保護カバーの側面図
【図１４】電源ケーブルを保持した状態の保護カバーの斜視図
【図１５】電源ケーブルを保持した状態の保護カバーの正面図
【図１６】電源ケーブルを保持した状態の保護カバーの側面図
【図１７】（Ａ）パチンコ遊技機を遊技島に設置した状態の側面図（Ｂ）パチンコ遊技機が遊技島から離脱した状態の側面図
【図１８】パチンコ遊技機が遊技島から離脱した状態の側面図
【図１９】第２実施形態に係る保護カバーの斜視図
【図２０】他の実施形態（２）に係る保護カバーの斜視図
【図２１】他の実施形態（３）に係る保護カバーの斜視図
【図２２】他の実施形態（５）に係る保護カバーの斜視図
【図２３】他の実施形態（６）に係る保護カバーの斜視図
【図２４】（Ａ）従来のパチンコ遊技機を遊技島に設置した状態の側面図（Ｂ）パチンコ遊技機が遊技島から離脱した状態の側面図
【符号の説明】
【０１０４】
１００    パチンコ遊技機
１１０    電源コード（線状部材）
２００    保護カバー（線状部材係止部）
２０２Ａ    後壁外面（押圧部材配置面）
２２０    押圧突部（外向押圧部材）
２３０    フック（内向押圧部材）
２３２Ａ    押圧部の内側面（押圧部材配置面との対向面）
２３３    係止突部
２３３Ａ    係止面
２３３Ｂ    テーパ面
３００    遊技島（遊技機以外の部位）
【図１】
2006034686.tif 000003
【図２】
2006034686.tif 000004
【図３】
2006034686.tif 000005
【図４】
2006034686.tif 000006
【図５】
2006034686.tif 000007
【図６】
2006034686.tif 000008
【図７】
2006034686.tif 000009
【図８】
2006034686.tif 000010
【図９】
2006034686.tif 000011
【図１０】
2006034686.tif 000012
【図１１】
2006034686.tif 000013
【図１２】
2006034686.tif 000014
【図１３】
2006034686.tif 000015
【図１４】
2006034686.tif 000016
【図１５】
2006034686.tif 000017
【図１６】
2006034686.tif 000018
【図１７】
2006034686.tif 000019
【図１８】
2006034686.tif 000020
【図１９】
2006034686.tif 000021
【図２０】
2006034686.tif 000022
【図２１】
2006034686.tif 000023
【図２２】
2006034686.tif 000024
【図２３】
2006034686.tif 000025
【図２４】
2006034686.tif 000026